(57)【要約】【課題】  本発明によれば、より簡易に希望の頁を開くことを助ける反転装置を提供する。【解決手段】    より簡易に希望の頁を開くことを助ける為に、反転装置は、冊子の反転を行う反転部と冊子を反転部に搬送する搬送部を備え、上記反転部には冊子を保持する冊子保持板と、上記冊子保持板で保持された冊子を搬送する搬送ローラと、上記冊子保持板を固定し、上記搬送ローラを回転自在に支持する支持部と上記支持部を回転させる回転機構と、を具備することを特徴とする。【選択図】  図７
2010235304.tif 000002
【特許請求の範囲】
【請求項１】
冊子の反転を行う反転部と冊子を反転部に搬送する搬送部を備え、
上記反転部には冊子を保持する冊子保持板と、
上記冊子保持板で保持された冊子を搬送する搬送ローラと、
上記冊子保持板を固定し、上記搬送ローラを回転自在に支持する支持部と
上記支持部を回転させる回転機構と、
を具備することを特徴とする反転装置。
【発明の詳細な説明】
【技術分野】
【０００１】
冊子の印刷装置等に内蔵される反転装置に関する。
【背景技術】
【０００２】
近時の印刷装置では、冊子内にＩＣが内蔵されたセキュリティ性の高い媒体を発行するこ
とがある。このような冊子の印刷装置には、印刷過程においてＩＣを読み取るＩＣリーダ
ライタが設けられており、冊子全体をＩＣリーダライタで読み取り、その内容を印刷する
という印刷方法が用いられる（例えば、特許文献１参照。）。
【先行技術文献】
【特許文献】
【０００３】
【特許文献１】特開２００５−１４４７５６号公報
【発明の概要】
【発明が解決しようとする課題】
【０００４】
しかしながら、近日、セキュリティ性を高める為、冊子内にＩＣが内蔵された冊子にシー
ルドを設けたタイプの冊子が製造され、そのシールドを設けたタイプの冊子であってもＩ
Ｃの読み取り及び印刷を行う必要が高まってきた。
【０００５】
シールドを設けたタイプの冊子はシールドが設けられた頁がＩＣリーダライタ上方に載置
された場合、ＩＣの読み取りは行えない。そこでシールドを設けた頁を開いてＩＣを読み
取る必要がある。シールドを設けた頁を開いてＩＣを読み取った後、印刷過程に進む為、
印刷を予定している頁を開く場合に、シールドが設けられた頁と印刷を予定している頁が
離れている（シールドが設けられた頁と印刷を予定している頁の間の中紙が多い）場合に
は頁捲り装置で大量の頁を捲らなければならないという課題があった。
【０００６】
本発明は上記事情に着目してなされたもので、その目的とするところは、より簡易に希
望の頁を開くことを助ける反転装置を提供することにある。
【課題を解決するための手段】
【０００７】
上記課題を解決するため、本発明による反転装置は、冊子の反転を行う反転部と冊子を
反転部に搬送する搬送部を備え、上記反転部には冊子を保持する冊子保持板と、上記冊子
保持板で保持された冊子を搬送する搬送ローラと、上記冊子保持板を固定し、上記搬送ロ
ーラを回転自在に支持する支持部と上記支持部を回転させる回転機構と、を具備すること
を特徴とする。
【発明の効果】
【０００８】
本発明によれば、より簡易に希望の頁を開くことを助ける反転装置を提供する。
【図面の簡単な説明】
【０００９】
【図１】本発明の携帯可能電子装置の一実施形態に係る非接触式の無線ＩＣ及びシールド内蔵冊子（以下、冊子１）の一例の断面図。
【図２】本発明の一実施の形態である冊子１が閉じた状態で、ＩＣリーダライタで読み取りを行っている状態を示した断面図。
【図３】本発明の一実施の形態である冊子１が開いた状態で、ＩＣリーダライタで読み取りを行っている状態でかつＩＣリーダライタ上に表紙１ｂが載置された状態を示した断面図。
【図４】本発明の一実施の形態である冊子１が開いた状態で、ＩＣリーダライタで読み取りを行っている状態でかつＩＣリーダライタ上にシールドが設けられた表紙１ａが載置された状態を示した断面図。
【図５】本発明の一実施の形態である印刷装置１０の構成図。
【図６】本発明の一実施の形態である反転装置２０を内蔵する印刷装置１０の構成を示すブロック図。
【図７】本発明の一実施の形態である反転装置２０の構成図。
【図８】本発明の一実施の形態である反転装置２０を図７の視点と対向する視点から確認した場合の構成図。
【図９】本発明の一実施の形態である反転装置２０を内蔵する印刷装置１０の印刷動作を示すフローチャート。
【図１０】本発明の一実施の形態である反転装置２０を内蔵する印刷装置１０で冊子１が頁捲り装置１３まで搬送される状態を示した概略図。
【図１１】本発明の一実施の形態である反転装置２０を内蔵する印刷装置１０で表紙１ａが開かれた冊子１がＩＣリーダライタ１２上まで搬送された状態を示した概略図。
【図１２】表紙１ｂが底面となるように冊子１が挿入口１０Ａに挿入された場合の本発明の一実施の形態である反転装置２０を内蔵する印刷装置１０で頁捲り装置１３で表紙１ａを閉じられた冊子１が搬送路１１上を搬送される状態を示した概略図。
【図１３】本発明の一実施の形態である反転装置２０にて反転された冊子１が搬送路１１上を頁捲り装置１３に向けて逆搬送される状態を示した概略図。
【図１４】本発明の一実施の形態である表紙１ｂが開かれた冊子１が搬送路切替装置１４へ搬送される状態を示した概略図
【図１５】本発明の一実施の形態である反転装置２０の動作を示すフローチャート
【図１６】本発明の一実施の形態である反転部２０Ｂ内の所定の位置に冊子１が搬送された状態を示す断面図。
【図１７】本発明の一実施の形態である反転部２０Ｂが時計回りに回転している状態を示す断面図
【図１８】本発明の一実施の形態である冊子１を反転用搬送路２５から搬送路１１の方向へ搬送されている状態を示す断面図
【図１９】本発明の一実施の形態である反転部２０Ｂが反時計回りに回転している状態を示す断面図。
【発明を実施するための形態】
【００１０】
以下、本発明の実施の形態を、図面を参照して詳細に説明する。  
図１は、本発明の携帯可能電子装置の一実施形態に係る非接触式の無線ＩＣ及びシール
ド内蔵冊子（以下、冊子１）の一例の断面図を示す。
【００１１】
図１に示す通り、冊子１はシールド１ｆが設けられている表紙１ａ、シールドが設けら
れていない側の表紙１ｂ及び中紙１ｃで構成される。表紙と中紙が綴じ目１ｄで綴じられ
ている。中紙は曲げることによって不利益が生じない紙が好ましい。また冊子１にはＩＣ
を内蔵した頁１ｅ（以下、ＩＣ１ｅ）が設けられている。表紙１ａに設けられたシールド
１ｆは、ＩＣの読み取りを防止するものでシールド１ｆとＩＣリーダライタを結ぶ垂直面
上にＩＣがある場合にはそのＩＣの読み取りを防止する役割を持つ。また中紙１ｃのうち
の一枚に印刷を行うべき印刷予定頁１ｇがある。冊子１においてこの印刷予定頁１ｇは１
ｂ近傍に設けられている。本実施例では表紙１ｂの次の頁を１ｇとする。
【００１２】
図２は、本発明の一実施の形態である冊子１が閉じた状態で、ＩＣリーダライタで読み
取りを行っている状態を示した断面図である。
【００１３】
図２が示す場合には、ＩＣリーダライタ上方にシールド１ｆが設けられた１ａが載置さ
れている為、ＩＣリーダライタはシールド１ｆに磁界が遮られＩＣ１ｅを読み取ることが
できない。
【００１４】
図３は、本発明の一実施の形態である冊子１が開いた状態で、ＩＣリーダライタで読み
取りを行っている状態でかつＩＣリーダライタ上に表紙１ａが載置された状態を示した断
面図である。を示した断面図である。また図４は、本発明の一実施の形態である冊子１が
開いた状態で、ＩＣリーダライタで読み取りを行っている状態でかつＩＣリーダライタ上
にシールドが設けられた表紙１ｂが載置された状態を示した断面図である。
【００１５】
図３に示す場合には、ＩＣリーダライタ上にシールド１ｆが設けられた１ａが載置され
ている為、図２で示した閉じた状態の冊子１と同様にＩＣリーダライタはシールドに磁界
が遮られＩＣ１ｅを読み取ることができない。
【００１６】
図４に示す場合にはＩＣリーダライタ上にシールド１ｆが設けられた１ａが載置されて
いない為、ＩＣリーダライタはシールド１ｆに遮られること無くＩＣ１ｅを読み取る事が
出来る。
【００１７】
このように非接触式の無線ＩＣ及びシールドが内蔵された冊子では、シールドが設けら
れた頁をＩＣとＩＣリーダライタを結んだ垂直上から除く、つまりシールドが設けられた
頁を開いておく必要がある。
【００１８】
次に本発明の一実施の形態である反転装置２０を内蔵する印刷装置１０について説明す
る。
【００１９】
図５は、本発明の一実施の形態である反転装置２０を内蔵する印刷装置１０の構成図で
ある。また図６は本発明の一実施の形態である反転装置２０を内蔵する印刷装置１０の構
成を示すブロック図である。
【００２０】
図５中１１は冊子１を搬送する搬送路である。冊子１はこの搬送路１１上を搬送機構１
１Ａによって両方向に搬送される。この搬送路１１には冊子１の図５上右搬送時の搬送方
向に沿ってＩＣ１ｅを読み取るＩＣリーダライタ１２が設けられている。さらに冊子１の
図５上右搬送時の搬送方向に沿って進むと頁捲り装置１３が設けられている。頁捲り装置
１３では冊子１の表紙、中紙を含め、一枚ずつ左右両方の頁を捲ることができる。
【００２１】
さらに冊子１の図５上右搬送時の搬送方向に沿って進むと反転装置２０が設けられている
。この反転装置２０では搬送路１１上を搬送されてきた冊子１を反転させることが出来る
。
【００２２】
ＩＣリーダライタ１２より図５上左側に搬送路切替装置１４が設けられている。搬送路切
替装置１４は搬送路１１上を搬送される冊子１の搬送方向を搬送路１６上へ切り替える装
置である。
【００２３】
搬送機構１１Ａ、ＩＣリーダライタ１２、頁捲り装置１３、反転装置２０、搬送路切替装
置１４及び印刷装置１５は制御部１００に接続されている。印刷装置１５は、冊子の中紙
に必要な情報や画像を印刷する装置である。制御部１００が印刷装置１０の全体の制御を
行う。
【００２４】
またこの印刷装置１０には冊子１を挿入する為の挿入口１０Ａと冊子１を排出する排出
口１０Ｂが設けられている。
【００２５】
次に反転装置２０について詳細に説明する。
【００２６】
図７は本発明の一実施の形態である反転装置２０の構成図である。また図８は本発明の
一実施の形態である反転装置２０を図７の視点と対向する視点から確認した場合の構成図
である。
【００２７】
反転装置２０は反転装置２０内に冊子を搬送する搬送部２０Ａと冊子を挟み反転させる反
転部２０Ｂとで構成される。
【００２８】
搬送部２０Ａには搬送路１１上に冊子を搬送するための上部搬送ローラ２１ａ、２１ｂ
と下部搬送ローラ２２ａ、２２ｂが設けられている。下部搬送ローラ２２ａ、２２ｂはパ
ルスモータ２３に接続されており、制御部１００からの信号により規定方向に規定数回転
する。
【００２９】
搬送路１１上方には冊子位置確認センサ２４が設けられている。冊子位置センサ２４は
冊子１が所定の位置まで搬送されたかを検知し、その検知結果を制御部１００に送信する
。
【００３０】
反転部２０Ｂには冊子１の上下表面を覆う反転用搬送路２５が設けられている。反転用
搬送路２５は冊子保持板として底部２５ａと天井部２５ｂを備える。底部２５ａと天井部
２５ｂはともに金属の板で構成されている。冊子１は板状の底部２５ａと天井部２５ｂに
挟まれた状態で回転する事が出来る。
【００３１】
反転用搬送路２５の底部２５ａには反転部ローラ２６ａ、反転用搬送路２５の天井部２５
ｂには反転部ローラ２６ｂが設けられている。この反転部ローラ２６ａ、２６ｂは制御部
１００と接続され、かつ支持部２７によって回転自在に支持されており、また支持部２７
には冊子保持板として底部２５ａと天井部２５ｂが固定されている。支持部２７は回転機
構２７Ａに接続されており、支持部２７は右回り及び左回りに回転可能となっている。回
転機構２７Ａは支持部駆動ベルト２９と支持部回転モータ３０で構成されている。支持部
２７中央から外方にモータ用シャフト２８が突出ており、モータ用シャフト２８は支持部
駆動ベルト２９を介して支持部回転モータ３０に接続されている。この支持部回転モータ
３０の駆動により、支持部２７が正逆方向に回転駆動されるようになっている。
【００３２】
また冊子有無確認センサ３１ａ、３１ｂが反転部２０Ｂ上方に設けられている。この冊子
有無確認センサ３１ａ、３１ｂは冊子１を反転部２０Ｂで反転させた後の底部２５ａと天
井部２５ｂの間の冊子１の有無を検知する。
【００３３】
次に本発明の一実施の形態である反転装置２０を内蔵する印刷装置１０の印刷動作を説明
する。
【００３４】
図９は表紙１ｂが底面となるように冊子１が挿入口１０Ａに挿入された場合の本発明の一
実施の形態である反転装置２０を内蔵する印刷装置１０の印刷動作を示すフローチャート
である。
【００３５】
はじめに印刷装置１００に挿入された冊子１は搬送路１１上を搬送され、頁捲り装置１３
まで搬送される（Ｓ１１）。図１０は冊子１が頁捲り装置１３まで搬送される状態を示し
た概略図である。搬送された冊子１は頁捲り装置１３で表紙１ａが捲られる（Ｓ１２）。
頁捲り装置１３で表紙１ａが捲られた冊子１は逆搬送され、冊子１の表紙１ｂがＩＣリー
ダライタ１２上まで搬送される（Ｓ１３）。図１１は表紙１ａが開かれた冊子１がＩＣリ
ーダライタ１２上まで搬送された状態を示した概略図である。ＩＣリーダライタ１２はＩ
Ｃリーダライタ１２上まで搬送された冊子１のＩＣ１ｅの読み取りを行う（Ｓ１４）。Ｉ
Ｃリーダライタ１２でＩＣ１ｅの読み取りが終了した後、冊子１は再度頁捲り装置１３ま
で搬送路１１上を搬送される（Ｓ１５）。頁捲り装置１３まで搬送された冊子１は頁捲り
装置１３で、開いていた表紙１ａを捲りもどす。つまり冊子１を閉じた状態に戻す（Ｓ１
６）。頁捲り装置１３で表紙１ａを閉じられた冊子１は反転装置２０まで搬送路１１上を
搬送される（Ｓ１７）。
【００３６】
図１２は頁捲り装置１３で表紙１ａを閉じられた冊子１が搬送路１１上を搬送される状態
を示した概略図である。反転装置２０まで搬送された冊子１は上下を反転される（Ｓ１８
）、つまり表紙１ａが底面、つまり搬送路１１に接する面として以降搬送される。なお、
反転装置２０の動作について後に詳細に述べる。
【００３７】
反転装置２０にて反転された冊子１は頁捲り装置１３まで搬送路１１上を逆搬送される（
Ｓ１９）。図１３は反転装置２０にて反転された冊子１が搬送路１１上を頁捲り装置１３
に向けて逆搬送される状態を示した概略図である。
【００３８】
逆搬送された冊子１は頁捲り装置１３で表紙１ｂが捲られる（Ｓ２０）。この時点で表紙
１ｂの次の頁にあたる印刷予定頁１ｇが開かれている状態となる。図１４は表紙１ｂが開
かれた冊子１が搬送路切替装置１４へ搬送される状態を示した概略図である。
【００３９】
頁捲り装置１３で表紙１ｂが捲られた冊子１はさらに逆搬送され（Ｓ２１）、搬送路切替
装置１４で冊子は搬送路１６へ搬送されるよう切り替わり（Ｓ２２）、印刷装置１５の方
向へ搬送される（Ｓ２３）。搬送された冊子１は印刷装置１５で印刷予定頁１ｇに印刷が
行われる（Ｓ２４）。印刷装置１５で印刷が行われた冊子１は搬送路１１を通り、排出口
１０Ｂに排出され、印刷動作が終了となる。
【００４０】
次に反転装置の動作について詳細に説明する。
【００４１】
図１５は本発明の一実施の形態である反転装置２０の動作を示すフローチャートである。
【００４２】
初めに反転装置２０の搬送部２０Ａに冊子１が搬送される（Ｓ３１）。搬送部２０Ａに
搬送された冊子１は、冊子位置センサ２４で検知される（Ｓ３２）。冊子位置センサ２４
は検知結果を制御部１００に送信し、検知結果を受けた制御部１００はパルスモータ２３
に規定量を下部搬送ローラ２２ａ、２２ｂが回転するよう信号を送信する。信号を受けた
下部搬送ローラ２２ａ、２２ｂは規定量の回転を行い、冊子１は、所定の位置、つまり、
搬送部２０Ａの搬送路１１上から冊子１が完全に搬送され、かつ反転部２０Ｂの底部２５
ａと天井部２５ｂの間に収まる場所まで搬送される（Ｓ３３）。図１６は反転部２０Ｂ内
の所定の位置に冊子１が搬送された状態を示す断面図である。規定量の回転が終了すると
、反転部２０Ｂが図１６上時計回りに１８０度回転を行う（Ｓ３４）。図１７は反転部２
０Ｂが時計回りに回転している状態を示す断面図である。
【００４３】
反転部２０Ｂでの回転が終了すると、反転部ローラ２６ａ・２６ｂが回転し、冊子１を反
転用搬送路２５から搬送路１１の方向へ搬送を開始する（Ｓ３５）。図１８は冊子１を反
転用搬送路２５から搬送路１１の方向へ搬送されている状態を示す断面図である。
【００４４】
次に冊子有無確認センサ３１ａ、３１ｂが反転用搬送路２５上から冊子１が搬送されたこ
とを検知すると（Ｓ３６）、冊子有無確認センサ３１ａ、３１ｂは制御部１００に信号を
送信する。冊子有無確認センサ３１ａ、３１ｂから信号を受け取った制御部１００は、反
転部２０Ｂが図１８上反時計回りに１８０度回転するよう支持部回転モータ３０に信号を
送信する（Ｓ３７）、信号を受けた支持部回転モータ３０は図１８上反時計回りに１８０
度回転する（Ｓ３８）。図１９は反転部２０Ｂが反時計回りに回転している状態を示す断
面図である。反転部２０Ｂの反時計回りの回転が終了すると、反転部２０Ｂは冊子を反転
する前の位置に戻る。つまり底部２５ａが図１９上下側、天井部２５ｂが図１９上上側に
配置される。
【００４５】
この実施例では冊子が閉じた状態で底部と天井部の板に挟まれ反転されることにより、
冊子の中紙を傷める事無く、冊子の反転が出来る。また冊子の反転を行うことにより、頁
捲りのみで必要な頁を開くより早く目的の頁を開く事が出来る。
【符号の説明】
【００４６】
１…冊子、１ａ、１ｂ…表紙、１ｃ…中紙、１ｄ…綴じ目、１ｅ…ＩＣ（ＩＣを内蔵し
た頁）、１ｆ…シールド、１ｇ…印刷予定頁、２０…反転装置、２０Ａ…搬送部、２０Ｂ
…反転部、２１ａ，２１ｂ…上部搬送ローラ、２２ａ，２２ｂ…下部搬送ローラ、２３…
パルスモータ、２４…冊子位置センサ、２５…反転用搬送路、２５ａ…底部、２５ｂ…天
井部、２７…ローラ支持部、３０…支持部回転モータ、３１ａ、３１ｂ…冊子有無確認セ
ンサ
【図１】
2010235304.tif 000003
【図２】
2010235304.tif 000004
【図３】
2010235304.tif 000005
【図４】
2010235304.tif 000006
【図５】
2010235304.tif 000007
【図６】
2010235304.tif 000008
【図７】
2010235304.tif 000009
【図８】
2010235304.tif 000010
【図９】
2010235304.tif 000011
【図１０】
2010235304.tif 000012
【図１１】
2010235304.tif 000013
【図１２】
2010235304.tif 000014
【図１３】
2010235304.tif 000015
【図１４】
2010235304.tif 000016
【図１５】
2010235304.tif 000017
【図１６】
2010235304.tif 000018
【図１７】
2010235304.tif 000019
【図１８】
2010235304.tif 000020
【図１９】
2010235304.tif 000021